(57)【要約】      （修正有）【課題】チルト機構を有する液晶表示装置において、ブラケットを隠すカバーが無くてもブラケットの溝部に指先を入り込ませないようにさせること。【解決手段】本体側ブラケット（一方のブラケット）２０に形成された爪部２４を貫通させる貫通穴（貫通部）が形成されるとともにスタンド側ブラケット（他方のブラケット）に接する位置で貫通穴にて爪部２４を貫通させて当該爪部２４に取り付けられたワッシャ状部材（溝挿入阻止部材）７０を設けた。ワッシャ状部材７０は、プラスチック製とされ、両ブラケット２０，４０に挟まれていると、なおよい。【選択図】図５
0003106183.tif 000002
【実用新案登録請求の範囲】
【請求項１】
金属製のスタンド側ブラケットが固定されたスタンドと、樹脂製のキャビネットと当該キャビネットに固定された金属製の本体側ブラケットとを有して所定の液晶表示面にて映像を表示するとともに同スタンドに対して同液晶表示面を前方から臨む位置を基準としたときに回転軸を左右方向に向けてチルト動作可能に支持されたテレビジョン本体部と、同回転軸上で同スタンド側ブラケットと同本体側ブラケットに対して相対的に回転可能にさせて取り付けられた金属製の棒状部材とを備え、
上記スタンド側ブラケットに上記棒状部材を貫通させる第一の貫通穴が形成されるとともに上記本体側ブラケットに上記棒状部材を貫通させる第二の貫通穴が形成され、上記スタンド側ブラケットと上記本体側ブラケットとは上記棒状部材を同第一および第二の貫通穴に貫通させて上記回転軸の方向に並んで設けられるとともに互いに上記回転軸を中心として相対的に回転動可能に取り付けられ、上記本体側ブラケットには上記回転軸の方向であって上記スタンド側ブラケット方向に突出した爪部が形成され、上記スタンド側ブラケットには同爪部を挿入して各回転方向で同爪部と当接することにより所定の回転範囲内で同爪部の回転動を規制する溝部が形成された液晶テレビジョンにおいて、
上記棒状部材は、上記第一および第二の貫通穴を貫通可能な本体部の一端に当該第一および第二の貫通穴の径よりも大きい径の頭部が形成されるとともに他端にねじ山が形成されたボルトとされ、
上記ボルトの他端に形成されたねじ山に螺合する金属製のナットと、上記ボルトの本体部が貫通可能であるとともに内径が上記頭部と同ナットの径よりも小さいつる巻きばねとが設けられ、
上記ボルトは、上記本体部を上記第一の貫通穴、上記第二の貫通穴、および、上記つる巻きばねに貫通させて当該つる巻きばねを押し縮めた状態で上記ねじ山にて上記ナットと螺合して上記第一および第二のブラケットに対して相対的に回転可能にさせて取り付けられ、
上記ボルトを貫通させることなく上記爪部を貫通させる第三の貫通穴が形成されるとともに当該第三の貫通穴にて同爪部を貫通させて上記スタンド側ブラケットと上記本体側ブラケットとの間に挟まれて取り付けられたプラスチック製のワッシャ状部材を備え、当該ワッシャ状部材は、上記爪部の回転動の回転範囲内で、上記スタンド側ブラケットを上記回転軸の方向であって本ワッシャ状部材側から見たときに上記溝部によるスタンド側ブラケットの溝全体を隠す形状とされていることを特徴とする液晶テレビジョン。
【請求項２】
第一のブラケットが固定されたスタンドと、キャビネットと当該キャビネットに固定された第二のブラケットとを有して所定の液晶表示面にて映像を表示するとともに同スタンドに対して所定の回転軸を中心としてチルト動作可能に支持された本体部とを備え、同第一および第二のブラケットは同回転軸の周りにおいて同回転軸の方向に並んで設けられるとともに互いに同回転軸を中心として相対的に回転動可能に取り付けられ、同第一および第二のブラケットのいずれか一方には他方のブラケット方向に突出した爪部が形成されるとともに同他方のブラケットには同爪部を挿入して各回転方向で同爪部と当接することにより所定の回転範囲内で同爪部の回転動を規制する溝部が形成された液晶表示装置において、
上記一方のブラケットに形成された爪部を貫通させる貫通部が形成されるとともに上記他方のブラケットに接する位置で同貫通部にて同爪部を貫通させて当該爪部に取り付けられた溝挿入阻止部材を備えることを特徴とする液晶表示装置。
【請求項３】
上記溝挿入阻止部材は、上記第一のブラケットと上記第二のブラケットとの間に挟まれて上記爪部に取り付けられていることを特徴とする請求項２に記載の液晶表示装置。
【請求項４】
上記第一および第二のブラケットが金属製であり、
上記溝挿入阻止部材は、上記貫通部が上記爪部を貫通させる貫通穴とされたプラスチック製部材とされていることを特徴とする請求項３に記載の液晶表示装置。
【請求項５】
上記第一のブラケットには上記回転軸を中心とした第一の貫通穴が形成されるとともに上記第二のブラケットには上記回転軸を中心とした第二の貫通穴が形成され、
上記回転軸上で上記第一および第二の貫通穴を貫通して上記第一および第二のブラケットに対して相対的に回転可能にさせて取り付けられた棒状の棒状部材が設けられ、
上記爪部は、上記回転軸の方向に突出しており、
上記溝挿入阻止部材は、上記棒状部材を貫通させることなく上記貫通部が上記爪部を貫通させる貫通穴とされていることを特徴とする請求項３または請求項４に記載の液晶表示装置。
【請求項６】
上記棒状部材は、上記第一および第二の貫通穴を貫通可能な本体部の一端に当該第一および第二の貫通穴の径よりも大きい径の頭部が形成されるとともに他端にねじ山が形成された金属製のボルトとされ、
上記ボルトの他端に形成されたねじ山に螺合する金属製のナットと、上記ボルトの本体部が貫通可能であるとともに内径が上記頭部と同ナットの径よりも小さいつる巻きばねとが設けられ、
上記ボルトは、上記本体部を上記第一の貫通穴、上記第二の貫通穴、および、上記つる巻きばねに貫通させて当該つる巻きばねを押し縮めた状態で上記ねじ山にて上記ナットと螺合して上記第一および第二のブラケットに対して相対的に回転可能にさせて取り付けられていることを特徴とする請求項５に記載の液晶表示装置。
【請求項７】
上記溝挿入阻止部材は、上記爪部の回転動の回転範囲内で、上記溝部が形成されたブラケットを上記回転軸の方向であって本溝挿入阻止部材側から見たときに上記溝部によるブラケットの溝全体を隠す形状とされていることを特徴とする請求項２〜請求項６のいずれかに記載の液晶表示装置。
【考案の詳細な説明】
【技術分野】
【０００１】
本考案は、スタンドと、所定の液晶表示面にて映像を表示するとともに同スタンドに対して所定の回転軸を中心としてチルト動作可能に支持された本体部と、を備える液晶テレビジョンおよび液晶表示装置に関する。
【背景技術】
【０００２】
従来、スタンド側ブラケットが固定されたスタンドと、キャビネットと当該キャビネットに固定された本体側ブラケットとを有して所定の液晶表示面にて映像を表示するとともに同スタンドに対して回転軸を水平方向に向けてチルト動作可能に支持されたテレビジョン本体部と、同回転軸上で同スタンド側ブラケットと同本体側ブラケットに対して相対的に回転可能にさせて取り付けられたボルトおよびナットとを備える液晶テレビジョンが知られている。ここで、両ブラケットにはボルトを貫通させる貫通穴が形成され、両ブラケットはボルトを貫通穴に貫通させて回転軸の方向に並んで設けられるとともに互いに回転軸を中心として相対的に回転動可能に取り付けられている。また、本体側ブラケットには回転軸の方向であってスタンド側ブラケット方向に突出した爪部が形成され、スタンド側ブラケットには同爪部を挿入して各回転方向で同爪部と当接することにより所定の回転範囲内で同爪部の回転動を規制する溝部が形成されている。なお、両ブラケットはテレビジョン本体部の背面に配置され、通常はプラスチック製のカバーで覆われている。
【０００３】
以上の構成により、液晶表示面を有するテレビジョン本体部をチルト回転（前後方向に傾ける回転）させることができる。受像管方式のテレビジョンであれば表示面をかなり斜めから見ても映像をはっきりと視認することができるが、液晶テレビジョンの場合、液晶の特性等により液晶表示面をかなり斜めから見ると映像をはっきりと視認することができない。そこで、液晶テレビジョンではテレビジョン本体部をチルト動作可能とし、所望の回転角度で液晶表示面を見ることができるようにしている。特許文献１には、このようなチルト回転を可能とした従来の画像表示装置の一例が記載されている。
【特許文献１】特開２００１−１４２４０８
【特許文献２】特開２０００−２７０２８２
【特許文献３】実開昭６０−１４２５６２
【考案の開示】
【考案が解決しようとする課題】
【０００４】
上述した従来の技術においては、両ブラケットを隠すカバーが外されると、回転動可能な本体側ブラケットの爪部が挿入されたスタンド側ブラケットの溝部に指が入る可能性があった。特許文献１記載の技術でも、同様である。また、特許文献２記載の技術はスライダーが球面回転するチルト回転機構の技術であるため構成が違うし、特許文献３記載の技術はカムと移動子を用いたチルト回転機構の技術であるため構成が違う。
【０００５】
本考案は、上記課題にかんがみてなされたもので、チルト機構を有する液晶表示装置において、ブラケットを隠すカバーが無くてもブラケットの溝部に指先を入り込ませないようにさせることを目的とする。
【課題を解決するための手段】
【０００６】
上記目的を達成するため、本考案は、金属製のスタンド側ブラケットが固定されたスタンドと、樹脂製のキャビネットに固定された金属製の本体側ブラケットを有するテレビジョン本体部と、金属製の棒状部材とを備え、上記スタンド側ブラケットに上記棒状部材を貫通させる第一の貫通穴が形成されるとともに本体側ブラケットに上記棒状部材を貫通させる貫通させる第二の貫通穴が形成され、上記スタンド側ブラケットと上記本体側ブラケットとは上記棒状部材を同第一および第二の貫通穴に貫通させて回転軸の方向に並んで設けられるとともに互いに上記回転軸を中心として相対的に回転動可能に取り付けられ、上記本体側ブラケットには上記回転軸の方向であって上記スタンド側ブラケット方向に突出した爪部が形成され、上記スタンド側ブラケットには同爪部を挿入して各回転方向で同爪部と当接することにより所定の回転範囲内で同爪部の回転動を規制する溝部が形成された液晶テレビジョンにおいて、上記棒状部材は、上記第一および第二の貫通穴を貫通可能な本体部の一端に当該第一および第二の貫通穴の径よりも大きい径の頭部が形成されるとともに他端にねじ山が形成されたボルトとされ、上記ボルトの他端に形成されたねじ山に螺合する金属製のナットと、上記ボルトの本体部が貫通可能であるとともに内径が上記頭部と同ナットの径よりも小さいつる巻きばねとが設けられ、上記ボルトは、上記本体部を上記第一の貫通穴、上記第二の貫通穴、および、上記つる巻きばねに貫通させて当該つる巻きばねを押し縮めた状態で上記ねじ山にて上記ナットと螺合して上記第一および第二のブラケットに対して相対的に回転可能にさせて取り付けられ、上記ボルトを貫通させることなく上記爪部を貫通させる第三の貫通穴が形成されるとともに当該第三の貫通穴にて同爪部を貫通させて上記スタンド側ブラケットと上記本体側ブラケットとの間に挟まれて取り付けられたプラスチック製のワッシャ状部材を備え、当該ワッシャ状部材は、上記爪部の回転動の回転範囲内で、上記スタンド側ブラケットを上記回転軸の方向であって本ワッシャ状部材側から見たときに上記溝部によるスタンド側ブラケットの溝全体を隠す形状とされていることを特徴とする。
【０００７】
また、より一般的な構成として、本考案は、第一のブラケットが固定されたスタンドと、キャビネットに固定された第二のブラケットを有する本体部とを備え、同第一および第二のブラケットは回転軸の周りにおいて同回転軸の方向に並んで設けられるとともに互いに同回転軸を中心として相対的に回転動可能に取り付けられ、同第一および第二のブラケットのいずれか一方には他方のブラケット方向に突出した爪部が形成されるとともに同他方のブラケットには同爪部を挿入して各回転方向で同爪部と当接することにより所定の回転範囲内で同爪部の回転動を規制する溝部が形成された液晶表示装置において、上記一方のブラケットに形成された爪部を貫通させる貫通部が形成されるとともに上記他方のブラケットに接する位置で同貫通部にて同爪部を貫通させて当該爪部に取り付けられた溝挿入阻止部材を備えることを特徴とする。
【０００８】
すなわち、溝挿入阻止部材は、上記一方のブラケットの爪部を貫通部にて貫通させて当該爪部に取り付けられているので、当該爪部が挿入された上記他方のブラケットの溝部を塞ぐ。これにより、ブラケットを隠すカバーが無くてもブラケットの溝部に指先を入り込ませないようにさせることが可能となる。
【０００９】
本考案を適用可能な液晶表示装置は、放送電波を受信して映像出力する受像装置を含む液晶テレビジョンでもよいし、受像装置を含まない表示装置からなる液晶モニタでもよい。
【００１０】
上記溝挿入阻止部材は、上記第一のブラケットと上記第二のブラケットとの間に挟まれて上記爪部に取り付けられている構成としてもよい。すると、爪部に溝挿入阻止部材の脱落を防止する構造を形成する必要がなくなる。
【００１１】
上記第一および第二のブラケットが金属製であり、上記溝挿入阻止部材は、上記貫通部が上記爪部を貫通させる貫通穴とされたプラスチック製部材とされている構成としてもよい。溝挿入阻止部材が貫通穴にて爪部を挿入してブラケット間に取り付けられているので、確実に脱落が防止される。また、両ブラケットが金属製であり、これらのブラケット間に挟まれた溝挿入阻止部材がプラスチック製であるので、チルト動作をさせるときにスムーズにチルト動作させることができる。
【００１２】
上記第一のブラケットには上記回転軸を中心とした第一の貫通穴が形成されるとともに上記第二のブラケットには上記回転軸を中心とした第二の貫通穴が形成され、上記回転軸上で上記第一および第二の貫通穴を貫通して上記第一および第二のブラケットに対して相対的に回転可能にさせて取り付けられた棒状の棒状部材が設けられ、上記爪部は、上記回転軸の方向に突出しており、上記溝挿入阻止部材は、上記棒状部材を貫通させることなく上記貫通部が上記爪部を貫通させる貫通穴とされている構成としてもよい。溝挿入阻止部材を回転軸用の棒状部材に貫通させる必要がなくなる。その結果、溝挿入阻止部材を、例えば単純なワッシャ状、Ｏリング状、等の環状にすることができる。
【００１３】
上記棒状部材は、上記第一および第二の貫通穴を貫通可能な本体部の一端に当該第一および第二の貫通穴の径よりも大きい径の頭部が形成されるとともに他端にねじ山が形成された金属製のボルトとされ、上記ボルトの他端に形成されたねじ山に螺合する金属製のナットと、上記ボルトの本体部が貫通可能であるとともに内径が上記頭部と同ナットの径よりも小さいつる巻きばねとが設けられ、上記ボルトは、上記本体部を上記第一の貫通穴、上記第二の貫通穴、および、上記つる巻きばねに貫通させて当該つる巻きばねを押し縮めた状態で上記ねじ山にて上記ナットと螺合して上記第一および第二のブラケットに対して相対的に回転可能にさせて取り付けられている構成としてもよい。ボルトとナットとつる巻きばねを用いるという簡易な構成で、液晶表示装置の本体部をチルト動作させたとき、押し縮められたつる巻きばねの付勢力（復元力）により所望の回転位置で本体部を保持させることができる。また、ナットの締め付け度合に応じてつる巻きばねの付勢力を調整することができる。
【００１４】
上記溝挿入阻止部材は、上記爪部の回転動の回転範囲内で、上記溝部が形成されたブラケットを上記回転軸の方向であって本溝挿入阻止部材側から見たときに上記溝部によるブラケットの溝全体を隠す形状とされている構成としてもよい。上記爪部の回転動の回転範囲内で溝部によるブラケットの溝全体が溝挿入阻止部材に覆われるので、より確実に、ブラケットを隠すカバーが無くてもブラケットの溝部に指先を入り込ませないようにさせることが可能となる。
【考案の効果】
【００１５】
請求項１にかかる考案によれば、爪部の回転動の回転範囲内で溝部によるスタンド側ブラケットの溝全体がワッシャ状部材に覆われるので、確実に、両ブラケットを隠すカバーが無くてもスタンド側ブラケットの溝部に指先を入り込ませないようにさせることが可能となる。また、ワッシャ状部材は両ブラケットに挟まれて爪部に取り付けられているので、爪部にワッシャ状部材の脱落を防止する構造を形成する必要がなく、簡易な構成でワッシャ状部材を爪部に取り付けることが可能となる。さらに、ワッシャ状部材がプラスチック製であるので、テレビジョン本体部をスムーズにチルト動作させることが可能となる。さらに、ワッシャ状部材を回転軸用のボルトに貫通させる必要がないので、ワッシャ状部材が簡易な構造で済む。さらに、テレビジョン本体部をチルト動作させたとき、押し縮められたつる巻きばねの付勢力により保持する力を調整しながら所望の回転位置でテレビジョン本体部を保持させることができる。
【００１６】
請求項２にかかる考案では、ブラケットを隠すカバーが無くてもブラケットの溝部に指先を入り込ませないようにさせることが可能となる。
請求項３にかかる考案では、爪部に溝挿入阻止部材の脱落を防止する構造を形成する必要がないので、簡易な構成で溝挿入阻止部材を爪部に取り付けることが可能となる。
請求項４にかかる考案では、溝挿入阻止部材の脱落を確実に防止することが可能となる。また、本体部をスムーズにチルト動作させることが可能となる。
【００１７】
請求項５にかかる考案では、溝挿入阻止部材を回転軸用の棒状部材に貫通させる必要がないので、溝挿入阻止部材を簡易な構造にさせることが可能となる。
請求項６にかかる考案では、液晶表示装置の本体部をチルト動作させたときに所望の回転位置で本体部を保持させる簡易な構成を提供することができ、ナットの締め付け度合に応じてつる巻きばねの付勢力を調整できるのでチルト動作させた本体部を保持する力を調整することが可能となる。
請求項７にかかる考案では、より確実に、ブラケットを隠すカバーが無くてもブラケットの溝部に指先を入り込ませないようにさせることが可能となる。
【考案を実施するための最良の形態】
【００１８】
以下、下記の順序に従って本考案の実施形態を説明する。
（１）液晶表示装置の説明：
（２）液晶表示装置の作用：
（３）変形例：
【００１９】
（１）液晶表示装置の説明：
図１は、本考案の一実施形態にかかる液晶表示装置である液晶テレビジョン（以下、ＴＶ）１００を正面から見て示す正面図である。なお、図１を基準として上下左右の関係を説明する。図２は本ＴＶを背面から見て示す背面図であり、図３は本ＴＶを右側面から見て示す右側面図である。図４は、スイベル回転機構を有するスタンド３０と、本体側ブラケット２０とを、分解して示す分解斜視図である。図５の右側はチルト機構が形成されたブラケット２０，４０とワッシャ状部材（溝挿入阻止部材）７０とを組み付けた状態で示す要部右側面図であり、同図の左側はワッシャ状部材を設けていない従来のチルト機構が形成されたブラケットを組み付けた状態で示す要部右側面図である。なお、図示のチルト機構は右側のチルト機構であり、左右対称のチルト機構が左側にも設けられている。図６は、右側のチルト機構を構成する両ブラケットとワッシャ状部材とを分解して示す右側面図である。図７は両ブラケットを互いにボルト（棒状の棒状部材）５１にて取り付ける様子を背面から見て示す分解背面図であり、図８は取り付け後のチルト機構を背面から見て示す要部背面図である。図９は、所定の最後傾位置までチルト動作した状態のチルト機構を右側面から示す要部右側面図である。
【００２０】
本ＴＶ１００は、スタンド（土台）３０と、このスタンドに対してチルト動作可能に支持されたテレビジョン本体部（本体部）１０と、スタンド３０と本体部１０とを繋ぐための金属製のボルト５１や金属製の六角ナット５２やつる巻きばね（コイルスプリング）５３やワッシャ（座金）５４ａ〜ｃ等を備えるとともに、プラスチック製のワッシャ状部材７０も備えている。スタンド３０には、金属製（例えばステンレス製）のスタンド側ブラケット（第一のブラケット）４０がスイベル動作可能に（水平面内で回転動可能に）固定されている。本体部１０は、樹脂製のキャビネット（筐体）１２と、当該キャビネットにねじで固定された金属製（例えばステンレス製）の本体側ブラケット（第二のブラケット）２０，２０とを有している。同本体部は、放送信号を受信する受信部や、制御回路が形成されたプリント基板や、所定の液晶表示面１４を有する液晶表示回路等を備えており、当該液晶表示面に合わせて前面に開口が形成されたキャビネット１２に同受信部や同プリント基板等が収容されている。そして、同基板に実装された制御回路の制御により、放送電波を受信したり外部入力端子から所定のフォーマットの信号を入力したりして、液晶表示面にて映像を表示し、音声出力部にて音声を出力する。キャビネット１２は、液晶表示回路の形状に合わせて、左右方向の幅が上下方向の高さよりも長く、前後方向が上下左右方向よりも非常に薄い略箱形とされている。本体部１０は、液晶表示面１４にて映像を表示するとともに、スタンド３０に対して液晶表示面１４を前方から臨む位置を基準としたときに（前から見たときに）回転軸５０を左右方向に向けてチルト動作可能に支持されている。
【００２１】
図４に示すように、スタンド３０は各部３１〜３６，３７ａ〜ｃ，４０を備えている。スタンド側ブラケット４０は水平面とされた平板状の下側板金部４０ａと当該下側板金部の後側縁部より前方から斜め上方に向かって延出した上側板金部４０ｂとを備えており、化粧カバー３７ｂが下部にて下側板金部４０ａを後側から前方向に挿入させてブラケット４０に取り付けられる。次に、円板状の上部板金３３上に、ブラケット４０の下側板金部４０ａの下面、当該下側板金部４０ａの後側の箇所に化粧カバー３７ａ、当該下側板金部４０ａの前側の箇所に化粧カバー３７ｃがビスで固定される。また、環状の回転支持体３２が円板状の下部板金３１を下側、円板状の上部板金３３を上側として両板金３１，３３に対してスイベル回転可能に挟まれ、板金３１，３３が互いにビスで固定される。底面板金３４には下部板金３１の直径より大きく回転支持体３２の外径より小さい直径とされた円形の開口３４ａが形成されており、板金３１，３３に挟まれた回転支持体３２は、開口３４ａの位置に合わせて底面板金３４上に載置される。この状態で、上部板金３３の直径より大きく回転支持体３２の外径より小さくブラケット４０をくぐらせることの可能な直径とされた円形の開口３５ａが形成された上部カバー３５が回転支持体３２上に載置され、回転支持体３２は底面板金３４と上部カバー３５との間に挟まれて複数のビス３６にて底面板金３４と上部カバー３５に固定される。これにより、板金３１，３３が底面板金３４と上部カバーとの間で回転支持体３２を介して回転動可能に保持され、ブラケット４０に取り付けられる本体部１０はスイベル回転動作可能に支持される。
なお、スタンド側ブラケット４０に本体側ブラケット２０を取り付けた後には、両ブラケット２０，４０を覆う図示しないプラスチック製のカバーをスタンド側ブラケット４０に取り付けるようになっている。
【００２２】
ボルト５１は、本体部５１ａの一端に径の大きい断面六角形の頭部５１ｂが形成されるとともに他端にねじ山５１ｃが形成されている。ナット５２は、当該ねじ山５１ｃに螺合する。ボルト５１とナット５２は、回転軸５０上で両ブラケット２０，４０に対して相対的に回転可能にさせて取り付けられる。
スタンド側ブラケットの上側板金部４０ｂには、前後方向に向けた垂直面とされた垂直面部４０ｃが形成されている。当該垂直面部には、ボルト５１の本体部５１ａを貫通させる第一の貫通穴４２が形成されている。また、同垂直面部には、上方から若干後方向に向かって突出した第一の凸部４４ａと後方に向かって突出した第二の凸部４４ｂとが形成され、同第一の凸部から同第二の凸部にかけての背面側が円弧状に切り欠かれて溝部４４が形成されている。
本体側ブラケット２０には、前後方向に向けた垂直面とされた垂直面部２０ａが形成されている。当該垂直面部には、ボルトの本体部５１ａを貫通させる第二の貫通穴２２が形成されている。また、同垂直面部には、後部からスタンド側ブラケット４０方向に折り曲げられることにより回転軸５０の方向であって同スタンド側ブラケット方向に突出した爪部２４が形成されている。
両ブラケット２０，４０は、ボルトの本体部５１ａを第一の貫通穴４２および第二の貫通穴２２に貫通させて回転軸５０の周りにおいて回転軸５０の方向に並んで設けられている。同ブラケット２０，４０は、互いに回転軸５０を中心として相対的に回転動可能に取り付けられている。
【００２３】
スタンド側ブラケットの溝部４４は、本体側ブラケットの爪部２４を挿入して回転軸５０を中心とした各回転方向Ｄ１，Ｄ２で爪部２４と当接することにより所定の回転範囲内で爪部２４の回転動を規制する。本体部１０を前傾方向Ｄ１にチルト回転させて爪部２４が第一の凸部４４ａに突き当たったとき、爪部２４および本体部１０は図５に示す所定の最前傾位置となる。本体部１０を後傾方向Ｄ２にチルト回転させて爪部２４が第二の凸部４４ｂに突き当たったとき、爪部２４および本体部１０は図９に示す所定の最後傾位置となる。すなわち、溝部４４が規制する爪部２４の回転範囲は、同最前傾位置と同最後傾位置との間になる。
【００２４】
図７に示すつる巻きばね５３は、ボルトの本体部５１ａが貫通可能であるとともに内径が頭部５１ｂとナット５２の径よりも小さくされている。
ボルト５１は、本体部５１ａが第一の貫通穴４２および第二の貫通穴２２の径よりも小さい径とされる一方、頭部５１ｂが両貫通穴２２，４２の径よりも大きい径とされている。同ボルトは、本体部５１ａを、ワッシャ５４ａ、第一の貫通穴４２、ワッシャ状部材７０が取り付けられた本体側ブラケットの第二の貫通穴２２、ワッシャ５４ｂ、つる巻きばね５３、ワッシャ５４ｃの順に貫通させ、つる巻きばね５３を押し縮めた状態でねじ山５１ｂにてナット５２と螺合して両ブラケット２０，４０に対して相対的に回転可能にさせて取り付けられる。
【００２５】
従来、両ブラケット２０，４０を隠すカバーが外されると、回転動可能な本体側ブラケットの爪部２４が挿入されたスタンド側ブラケットの溝部４４に指が入る可能性があった。本考案では、爪部にワッシャ状部材７０を取り付けることにより、ブラケットを隠すカバーが外されていても溝部４４に指を入り込ませないようにしている。
【００２６】
ワッシャ状部材７０は、プラスチック製（アルキルベンゼンスルホン酸（ＡＢＳ）樹脂、ポリプロピレン樹脂、等）とされ、ボルトの本体部５１ａを貫通させることなく爪部２４のみを貫通させる第三の貫通穴（貫通部）７２が形成されている。爪部２４が平板状とされているため、貫通穴７２の形状を爪部の挿入方向に対する垂直断面の形状に合わせて略長方形（スリット状）としている。ワッシャ状部材７０は、貫通穴７２にて爪部２４を貫通させて両ブラケット２０，４０の間に挟まれて両ブラケット２０，４０に接して取り付けられる。図５と図９に示すように、ワッシャ状部材７０は、爪部２４の回転動の回転範囲内ではどこでも、スタンド側ブラケット４０を回転軸５０の方向であって本ワッシャ状部材７０側から見たときに溝部４４によるブラケット４０の溝全体を隠す形状とされている。図６に示すようにワッシャ状部材７０を略長方形状にする場合、両凸部４４ａ，ｂ間の距離をＬ０、凸部４４ａ，ｂのうち高い方の高さをＨとして、ワッシャ状部材の長手方向上端から貫通穴７２の長手方向下端までの距離Ｌ１をＬ０以上、貫通穴７２の長手方向上端からワッシャ状部材の長手方向下端までの距離Ｌ２をＬ０以上、貫通穴７２の短手方向（長手方向と直交）前端からワッシャ状部材の短手方向後端までの距離Ｌ３をＨ以上とすると、スタンド側ブラケット４０を回転軸５０の方向であって本ワッシャ状部材７０側から見たときに溝部４４によるブラケット４０の溝全体を隠すことができる。
【００２７】
（２）液晶表示装置の作用：
ワッシャ状部材の貫通穴７２に爪部２４を挿入した後にワッシャ状部材７０を両ブラケット２０，４０で挟んでつる巻きばね５３等とともにボルト５１とナット５２で連結すると、本体部１０を手等でチルト操作させたとき、押し縮められたつる巻きばね５３の付勢力により勝手に回転することなく、所望の回転位置で本体部を保持させることができる。
この状態で、本体部を前傾方向に回転させる操作を行うと、本体部は爪部２４が第一の凸部４４ａに当接する最前傾位置までチルト動作する。このとき、図５に示すように、スタンド側ブラケット４０を回転軸５０の方向であってワッシャ状部材７０側から見たときに、ワッシャ状部材７０は溝部４４によるブラケット４０の溝全体を隠している。また、本体部を後傾方向に回転させる操作を行うと、本体部は爪部２４が第二の凸部４４ａに当接する最後傾位置までチルト動作する。このときも、図９に示すように、スタンド側ブラケット４０を回転軸５０の方向であってワッシャ状部材７０側から見たときに、ワッシャ状部材７０は溝部４４によるブラケット４０の溝全体を隠している。むろん、本体部を最前傾位置と最後傾位置との途中の位置にチルト操作してときでも、ワッシャ状部材７０は溝部４４によるブラケット４０の溝全体を隠す。
【００２８】
以上により、爪部の回転動の回転範囲内で溝部によるスタンド側ブラケットの溝全体がワッシャ状部材に覆われるので、確実に、両ブラケットを隠すカバーが無くてもスタンド側ブラケットの溝部に指先を入り込ませないようにさせることが可能となる。また、ワッシャ状部材は両ブラケットに挟まれて爪部に取り付けられているので、爪部にワッシャ状部材の脱落を防止する構造を形成する必要がなく、簡易な構成でワッシャ状部材を爪部に取り付けることが可能となる。さらに、ワッシャ状部材がプラスチック製であるので、テレビジョン本体部をスムーズにチルト動作させることが可能となる。さらに、ワッシャ状部材を回転軸用のボルトに貫通させる必要がないので、ワッシャ状部材が簡易な構造で済む。さらに、テレビジョン本体部をチルト動作させたとき、押し縮められたつる巻きばねの付勢力により保持する力を調整しながら所望の回転位置でテレビジョン本体部を保持させることができる。
【００２９】
（３）変形例：
ところで、本考案は、様々な変形例が考えられる。
液晶テレビジョンは、画面が２５インチサイズ程度以下の小型〜中型であると軽量であるため容易にチルト操作できて好適であるものの、中型〜大型であってもよい。また、ビデオデッキが一体化された液晶テレビジョン、ＤＶＤ再生装置が一体化された液晶テレビジョン等でもよい。また、液晶テレビジョン以外にも、放送電波を受信するチューナ（受信装置）を含まない液晶ディスプレイにも本考案を適用可能である。むろん、チューナを含む液晶ディスプレイにも本考案を適用可能である。
【００３０】
図１０に示すように、貫通穴ではなく、右側面から見て一部に切れ目１７２ａが形成された貫通部１７２を有する溝挿入阻止部材１７０をワッシャ状部材７０の代わりに用いてもよい。
爪部２４の先端部（図７の右端）をさらに前方または後方に折り曲げて溝挿入阻止部材の脱落を防止する掛止部を形成し、両ブラケット２０，４０の垂直面部２０ａ，４０ｃを重ねた（接する状態とした）後に溝挿入阻止部材の貫通部を爪部２４に挿入して溝挿入阻止部材をスタンド側ブラケットの垂直面部４０ｃに接する状態とし、ボルトの本体部５１ａを、ワッシャ５４ａ、第一の貫通穴４２、第二の貫通穴２２、ワッシャ５４ｂ、ばね５３、ワッシャ５４ｃの順に貫通させ、両ブラケット２０，４０を相対的に回転可能にさせてもよい。
ボルトの本体部５１ａに通すワッシャ５４ａ〜ｃの一部あるいは全部を省略することも可能である。
チルト機構は、スタンド側ブラケットに爪部が形成され、本体側ブラケットに同爪部を挿入して各回転方向で同爪部と当接することにより所定の回転範囲内で同爪部の回転動を規制する溝部が形成された機構でもよい。
以上の各種変形例においても、同様の作用、効果が得られ、ブラケットを隠すカバーが無くてもブラケットの溝部に指先を入り込ませないようにさせることが可能となる。
【図面の簡単な説明】
【００３１】
【図１】液晶テレビジョン（液晶表示装置）の正面図である。
【図２】液晶テレビジョンの背面図である。
【図３】液晶テレビジョンの右側面図である。
【図４】スタンドと本体側ブラケットとを示す分解斜視図である。
【図５】本実施形態および従来のチルト機構を示す右側面図である。
【図６】ブラケットとワッシャ状部材とを分解して示す右側面図である。
【図７】両ブラケットを互いにボルトで取り付ける様子を示す分解背面図である。
【図８】取り付け後のチルト機構を示す要部背面図である。
【図９】所定の最後傾位置とした状態のチルト機構を示す要部右側面図である。
【図１０】溝挿入阻止部材の変形例を示す右側面図である。
【符号の説明】
【００３２】
１０…テレビジョン本体部（本体部）
１２…樹脂製のキャビネット
１４…液晶表示面
２０…金属製の本体側ブラケット（第二のブラケット、一方のブラケット）
２０ａ…垂直面部
２２…第二の貫通穴
２４…爪部
３０…スタンド
４０…金属製のスタンド側ブラケット（第一のブラケット、他方のブラケット）
４０ａ…下側板金部
４０ｂ…上側板金部
４０ｃ…垂直面部
４２…第一の貫通穴
４４…溝部
５０…所定の回転軸
５１…金属製のボルト（棒状部材）
５２…金属製の六角ナット
５３…つる巻きばね
７０，１７０…プラスチック製のワッシャ状部材（溝挿入阻止部材）
７２…第三の貫通穴（貫通部）
１００…液晶テレビジョン（液晶表示装置）
１７２…貫通部
【図１】
0003106183.tif 000003
【図２】
0003106183.tif 000004
【図３】
0003106183.tif 000005
【図４】
0003106183.tif 000006
【図５】
0003106183.tif 000007
【図６】
0003106183.tif 000008
【図７】
0003106183.tif 000009
【図８】
0003106183.tif 000010
【図９】
0003106183.tif 000011
【図１０】
0003106183.tif 000012